(57)【要約】  本発明は、足部において所定の目的に応じて姿勢を形成することができるように学習及び誘導させる装置であって、これにより、人体を所定の目的に応じて矯正したり、改善したりすることができる。このように足裏にかかる圧力を利用して人体を矯正するための人体矯正装置は、足裏に対して凸部または凹部が形成されていることを特徴とする。
2008505688.tif 000002
【特許請求の範囲】
【請求項１】
足裏にかかる圧力を利用して人体を矯正するための人体矯正装置であって、足裏に対して凸部または凹部が形成されていることを特徴とする人体矯正装置。
【請求項２】
前記人体矯正装置は、インソールであって、このインソールは、上板と、前記上板の下部に形成され、少なくとも１つ以上の穴が形成される中板と、前記中板の下部に形成される下板と、前記中板の穴に挿入される挿入部材とを含んで構成されており、前記凹部及び凸部は、前記挿入部材と前記中層との差によって形成されることを特徴とする請求項１に記載の人体矯正装置。
【請求項３】
前記凹部及び凸部は、前記挿入部材と前記中板との高さの差によって形成されることを特徴とする請求項２に記載の人体矯正装置。
【請求項４】
前記凹部及び凸部は、前記挿入部材と前記中板との弾性差によって形成されることを特徴とする請求項２に記載の人体矯正装置。
【請求項５】
前記下板の下部に設けられ、前記下板の下面と対応する大きさを有するフットプリンタと、フットプリンタの下部に設けられ、前記フットプリンタと対応する大きさを有するプリント紙とで構成され、足裏にかかる圧力によって前記フットプリンタが前記プリント紙にフットプリントを行うようにすることを特徴とする請求項２に記載の人体矯正装置。
【請求項６】
前記フットプリンタはコピーペーパーであり、前記プリント紙は紙であることを特徴とする請求項５に記載の人体矯正装置。
【請求項７】
電子矯正装置を備え、前記電子矯正装置は、足裏または足裏に対応する物体の下面に形成され、体重が負荷された部位別の圧力を感知する足裏の圧力感知センサーと、信号を発生するための信号部と、体重が負荷されるべき部位別の位置及び程度に対する情報、ならびにそれと対応する前記信号部の動作内容に対する情報が含まれ、メモリ部に格納される矯正プログラムと、前記足裏の圧力感知センサーによって感知されたデータが入力され、それを前記矯正プログラムの情報と比較及び分析し、前記矯正プログラムに含まれた信号部の動作内容に対する情報に基づいて前記信号部を制御する矯正プログラムマスターとを含んで構成されることを特徴とする請求項１に記載の人体矯正装置。
【請求項８】
前記電子矯正装置は、有線または無線で端末装置やウェブサイトに接続されることができ、この端末装置やウェブサイトを介して電子矯正装置の矯正プログラムの修正が可能になるように構成されていることを特徴とする請求項７に記載の人体矯正装置。
【請求項９】
前記電子矯正装置は、分節位置を感知するための分節位置感知センサーと、筋力評価のための筋力感知センサーとをさらに含んで構成され、前記矯正プログラムは、該当姿勢に対する分節の位置及び筋力に対する情報をさらに含むことを特徴とする請求項７に記載の人体矯正装置。
【請求項１０】
足部において体重を支えることができる位置を学習、教育させることにより、病変及び奇形を予防し、人体を矯正及び改善することができることを特徴とする人体矯正方法。
【発明の詳細な説明】
【技術分野】
【０００１】
本発明は、足裏にかかる圧力を利用して人体を矯正するための人体矯正装置に関する。
【背景技術】
【０００２】
従来、指圧または反射区療法などを行うために特定の神経または血を刺激することができるよう特定部分を突出させたインソールや、歩行または特定姿勢を矯正するためにインソール表面の特定部位を突出させたインソールが提案された。しかし、これらは足部と補償との関系に対する理解が不十分であり、多様な有機体の特性が考慮されず、矯正の效果は得られなかった。
【０００３】
人体は、様々な固有の特性を持っている。人体の状態は全て同じではない。例えば、内反膝及び外反膝、扁平足、凹足、外反母趾などの筋骨格系の奇形などが挙げられる。人体を対象とする場合、それらに対する理解は不可欠である。しかし、従来発明の場合、そのことが考慮されずに決まった形態のモデルのみ存在し、実際に様々な人体に適用したとき、また別の歪んだ補償を要求したり、または、それ自体が深刻な病変及び奇形の原因になったりする問題点があった。
【発明の開示】
【発明が解決しようとする課題】
【０００４】
そこで、本発明は前記従来の問題点に鑑みてなされたものであって、本発明は、所定の目的に応じて足部で体重を支えることができるように学習及び誘導させる装置であって、本発明の装置により、足部及び姿勢を矯正し、さらには、体型や体質、病変、奇形を矯正及び治療することにその目的がある。  また、運動能力の向上、歩行改善、美容など、人体の状態を改善するために活用することにその目的ある。
【０００５】
本発明の目的は、様々な人体に適用され、理想の人体の状態及び矯正の目的に符合する人体の状態または適用において、対象者が望む特定の人体の状態が存在する場合、その要求を積極的に受け入れることで、それに応えられる効果的な矯正手段を提供し、各々の目的に応じて構成を異なるようにすることで、様々な人体に柔軟に適用することにある。
【課題を解決するための手段】
【０００６】
前記目的を達成するためになされた本発明は、足裏にかかる圧力を利用して人体を矯正するための人体矯正装置であって、足裏に凹部及び凸部が形成されることを特徴とする。
【０００７】
本発明の人体矯正装置は、インソールであって、このインソールは、上板と、前記上板の下部に設けられ、少なくとも１つ以上の穴が形成される中板と、前記中板の下部に設けられる下板と、前記中板の穴に挿入される挿入部材とを含んで構成されており、前記凹部及び凸部は、前記挿入部材と前記中板との差によって形成されることを特徴とする。以下、前記挿入部材は、その用途によって突出装置と沈降装置とに分けて説明する。
【０００８】
本発明の人体矯正装置は、電子矯正装置を備え、この電子矯正装置は、足裏または足裏に対応する物体の底面に設けられ、体重が負荷される部位別の圧力を感知する足裏の圧力感知センサーと、信号を発生させるための信号部と、体重が負荷されるべき部位別の位置及び程度に関する情報と、それに対応する前記信号部の動作の内容に対する情報を含んでデータベースに格納される矯正プログラムと、前記足裏の圧力感知センサーによって感知されたデータを受信し、それを前記矯正プログラムの情報と比較、分析し、前記矯正プログラムに含まれている信号部の動作内容に従って前記信号部を制御する矯正プログラムマスターとを含んで構成されることを特徴とする。
【０００９】
本発明の適用において、凹部及び凸部に対する反応は人それぞれ異なる。従って、凹部及び凸部は、対象者の特性や反応を考慮した上でそれぞれ異なるように適用する。
【００１０】
例えば、本発明は、人体の重力中心の状態を矯正するときに使用されることができる。それは、該当構造に負荷される体重の程度が調節されることができるように、学習及び誘導させることによって可能となる。矯正の目的に応じ、所定の位置に凹部及び凸部を形成し、体重負荷を低くしようとするときには、人体の重力中心が上昇し、体重負荷を高くしようとするときには、人体の重力中心が下降することが期待される。これは、薄氷の上を歩くときは、人体の重力中心が上昇し、逆に、ふんわりした物の上を歩くときは、人体の重力中心が下降する効果があるのと同じである。
【００１１】
実際の適用において、例えば、凹部及び凸部を大きくかつ痛むように形成する場合、それを避けようとするので人体の重力中心が上昇することが期待される。これに対し、凹部及び凸部を小さくかつ柔らかく形成し、その部分に体重が負荷されるように学習及び誘導すると、それを正確に認知しようと反応するので、人体の重力中心が下降することが期待される。
【００１２】
しかし、このようなことは、有機体の特性及び反応を考慮して慎重に選択しなければならない。すなわち、大きくかつ弾性の強い凸部を適用する場合、凸部に積極的に反応する人であれば、該凸部を十分に踏もうとし、体重の負荷が高くなる可能性がある。これに対し、凸部に拒否感を抱く人であれば、凸部を避けようとし、該凸部に対する体重の負荷が低くなる可能性がある。凹部の場合にも同様である。
【００１３】
また、本発明の適用において、有機体において体重を支えるべき理想の位置と、凹部及び凸部の位置とが一致しないときもある。これは、有機体における内反膝及び外反膝、扁平足、凹足、外反母趾などの筋骨格系の状態を考慮しなければならないためである。すなわち、体重が足部の外側に偏って構築され、扁平足や内反膝の奇形がある場合、単にその有機体において体重を支えるべき理想の位置を基準に体重が支えられるようにすると、実際の矯正効果を得ることができないだけでなく、かえって時間経過によって奇形がひどくなってしまうおそれもある。たとえば、体重が特定の位置に偏った状態が長期間にわたって繰り返し、持続され、足部を含めた筋骨格系の奇形が生じた場合、矯正の際には、該当変異が原因で体重が偏る足部の位置に対応する反対側に凹部や凸部、あるいは両方を設け、それに該当する部位を基準に体重が支えられるようにすることができる。これは、矯正において頻繁に使用される方法である。
【００１４】
例えば、これは脊椎側湾症の矯正に活用することができる。体重の側方偏重は、脊椎側湾の原因になる。体重が特定の足部に偏った状態が長期間にわたって繰り返し、持続され、脊椎側湾として構築された場合、矯正効果を得るための方法として、両足部で体重が支えられている状態と逆になるようにすることができる。根本的な解決は、両足部において体重がバランスよく支えられるようにすることであるが、前記例は、矯正の効果のために一時的に使用できる方法である。
【００１５】
一般に、体重が特定の足部に偏ってかかる場合、体重が偏ってかかる足部は、比較的足裏の後、外側を基準に体重を支え、もう一方の足部は、比較的足裏の前と外側、または前と内側（相対評価であって絶対的な足部の位置ではない）を基準に体重を支えている傾向がある。このような傾向を前提として、体重が左足に偏って構築され、脊椎側湾が生じた対象者を矯正する場合、右足のインソールは、足裏の後、内側部位に凹部または凸部を設けるか、あるいは両方を大きく設けるようにし、左足のインソールは、足裏の前、内側部位に凹部または凸部を設けるか、あるいは両方を小さく設けるようにすることで、足部の前記部位を基準に体重を支えることができるようにする。
【００１６】
ここで、凹部及び凸部の大きさに差を与える理由は、大きさの大きなものをより認知しやすくし、体重の負荷や偏りがより頻繁に、かつ長期間にわたって行われるように誘導するとともに、それを基準にして相対的に多くの体重が負荷されるように誘導するためである。しかし、突出部に対する反応は、人それぞれ異なるので、全ての場合に当て嵌まるものではない。前記意図と反対に反応する人の場合には、凹部と凸部とを逆に適用することも可能である。
【００１７】
また、他の方法としては、体重が偏重が大きな部位には、凸部を適当な痛みがあるほどに、小さくかつ先端をやや細く形成し、体重の偏重の小さい部位には、大きくかつ広くすることで、凸部を基準に体重が支えられるように誘導する場合、対象者は、足裏の痛症を避けようとするので、矯正前の状態と反対に、体重が支えられることが期待できる。
【００１８】
他には、右足のインソールの後、内側にのみ凹部や凸部、あるいは両方を設け、それを基準に体重が支えられるようにすることもできる。一般に、脊椎側湾症の人は、歩行時に体重が偏って構築された方の足を軸にして歩く傾向がある。そのため、前記のように適用した場合、対象者は、施された凹部と凸部を認知しようとし、歩行時に足のかかとが離れることが遅くなる可能性がある。そのことにより、右足を中心軸にする歩行が増加することが期待できる。このような例に対して対象者の筋骨格系が適応する場合、脊椎側湾の矯正を期待することができる。
【００１９】
前記適用例は、一例であって全ての場合に当て嵌まるものではない。また、この他にも各々の目的に応じて様々な方法を使用することができる。凹部及び凸部は、必要に応じて位置、個数、形態、大きさ、素材、構成を変更することも可能である。
【００２０】
本発明を各々の目的に応じて適用する場合、その目的が人体に適用された結果は、最初の状態と少し異なったり、大きく異なることがある。適用においては、適用の速度をゆっくりしたり、速くしたりすることによって調節して行うことができる。矯正を急いで行うと、筋骨格系に負担をかけ、かえって病変や奇形の原因になるおそれがある。しかし、これはそれぞれの症状によって異なり、その反対の方法で矯正することが効果的である場合もある。例えば、最初に構築されている状態に対する矯正が容易ではないとき、それと反対の状況を作り出し、筋骨格系における柔軟性を確保する方法などが挙げられる。
【００２１】
本発明の適用においては、「地面と支持構造」及び登録Ｃ−２００４−００２８６０の韓国著作権審議調停委員会登録の「地面と支持構造」（登録簿種類:著作権）に基づいて行なう。この技術思想は、対象になる人体の状態を分析、評価、改善する際に有用な理論的根拠になる。しかし、人体に対する未だに明かされていない部分が多く存在するので、今後、前記技術思想は修正、追加が行われるだろう。前記技術思想を批判したり、代替し得るような新たな学説が存在する場合、本発明の適用において、それを参照及び採用することにする。
【００２２】
以下、本発明の主な技術思想である地面と支持構造について説明する。
【００２３】
１−１．補償メカニズムの評価
長期間にわたって構築された補償メカニズムは、該当補償メカニズムに最適化された筋、骨格と、それに最適化された運動特性を有する。変因が存在する場合には、それに相応する姿勢の補償は、比較的実時間で行われる。しかし、このとき形成された姿勢は、筋の最適化が行われていない。これは、該当姿勢に対して筋が最適化するには一定の時間が必要なためである。このため、該当姿勢に最適化された運動特性は反映されていない。従って、該当有機体に対する評価及び分析は、該当有機体に適用された変因及びその補償が比較的長期間にわたって構築された状態に基づいて行われる必要がある。この際、この技術思想は、評価及び分析において有用に使用することができる。
【００２４】
１−２．力の合成と分解
姿勢は地面と支持構造の関系によって自然に形成される。支持構造の変化は、分節の変因になる。この技術思想は、補償を要求する変因をできるだけ独立に分析した。また、変因と補償との関系を説明するにおいては、対象になる人体にはこの研究で分析された変因が一つのみ単独で適用されたものに制限した。これは重複する記載を避け、理解を容易とするためである。しかし、実際の人体は、この研究で分析された変因が２つの以上複合的に係わっている傾向がある。各変因は、該当の変因に相応する補償を要求する。各変因の要求する補償は、他の変因と類似または相応するか、相反する。類似または相応するか、相反する補償を要求する変因が同時に人体に係わっている場合、補償の結果は、それらの変因が要求する補償が互いに折衷、妥協された形態になる。このときの「力の合成と分解」は、物理法則によって理解することができる。
【００２５】
この研究で独立的に分析された変因は、それぞれのデータを有するx、y、z軸の組合せによって立体物を表現する３Ｄの概念と類似している。ここで分析された変因は、２つ以上の変因が複合的に係わって形成された補償メカニズムを評価する際に、係わっている変因をそれぞれ分解し分析することを可能にし、さらに、それらを組合わせて評価するとき、容易な方法を提供する。その他に、矯正が必要な場合、該当補償メカニズムの問題を把握し、矯正の效果を得ることができる新たな変因を提示、適用するときにも容易な方法を提供する。変因が存在する場合、それに相応する補償が行われる。同一の変因が作用しても、変因の大きさによって補償の程度が変わる。比較的変因の大きさが大きいほど、それに相応する補償も大きくなると言える。変因に相応する補償が適切に行われない場合、それは病変、奇形の原因になる。
【００２６】
１−３．補償の例外
この技術思想は、分節の変因を多様に分析している。これらの変因は、各有機体の性格に合わせて選択される。多様な補償メカニズムにおいて、各有機体の性格が最も重要な変因になる。この場合、性格など各有機体の特徴が原因で、それが要求する人体の状態や環境要因などが原因で、それが要求する人体の状態が互いに異なることがある。そのような場合、病変及び奇形の原因になることがある。人間の姿勢は、地面と支持構造との関系によって自然に形成される。このような人体の状態は、重力に対抗する人体の反応であって、物理法則によって理解することができる。しかし、人間の姿勢が常に物理法則に対して最適に反応するわけではない。物理法則に従わない分節の補償は、大概環境要因などが原因である。例えば、審美的欲求が原因である分節の変位、または、第３者との関系で行われる政治的目的が反映された分節の変位などが挙げられる。
【００２７】
２．脊椎湾曲の評価
脊椎湾曲は多様な言葉で表現されている。これは、学界や学者によって異なるため、技術交換を難しし、明確な共通の正義が必要である。矢状面において、腰椎は前方に突出し、胸堆は後方に突出している。この技術思想では、これを各々腰椎前湾、胸堆後湾と称する。その他に、脊椎側湾に関して、この技術思想では、左側に突出しているものを左突出、右側に突出しているものを右突出と称する。これにより各腰椎と胸堆を細分して表現することができる。すなわち、腰椎は左突出し、胸堆は右突出しているといった表現である。
【００２８】
脊椎は、頸椎、腰椎、胸堆、仙椎、尾堆で構成されている。これらは有機的に連結されているため、これらの変位は互いに影響を与える。この技術思想では、多様に変因を分析している。
【００２９】
変因は、それぞれに相応する補償を脊椎に対して要求する。しかし、これらが同時に脊椎に係わる場合には、その評価が難しくなる。例えば、股関節が内回転した場合、腰椎前湾は増加し、胸堆後湾は減少する。また、体重が足部の内側に偏ってかかる場合、腰椎前湾は増加し、胸堆後湾は減少する。これらが同時に係わる場合であると、腰椎前湾はより増加し、胸堆後湾はより減少するであろう。足において体重が主に負荷される位置と、頭の重量中心が矢状面において比較的垂直線上で一致する傾向がある（これは全ての補償メカニズムに当て嵌まる。このとき、人体は自然に起立した態である）。これは、特に２つ以上の変因が同時に係わる場合に大きく考慮されなければならない。脊椎は有機的に結合されている。そのため、頭の変位は関連する脊椎に影響を与える。頸椎と、胸堆の比較的上部に影響を与える。前記２つの変因は、それぞれ頭に対して前引を要求する。よって、前記２つの変因に補償された結果、頭の前因が大きい。頭の前因に頸椎と、胸堆の上部がともに変位した結果において、該当状態は胸堆の上端部分に後湾が増加したように見える。一部では、そのような状態を腰椎前湾と胸堆後湾がいずれも大きく増加したと評価した。しかし、それは好ましくない。正確には、腰椎前湾は大きく増加し、胸堆後湾は大きく減少しており、頭が大きく前因し、これに影響を受けた頸椎と、胸堆の上部が前方変位したものと理解することが好ましい。これは、変因と補償との相関関係を理解する際に、混沌を減らすことができる有用な方法である。これは、それらの変因を各々区分して実験することによって証明することができる。従って、様々な変因が複合的に係わる場合における脊椎湾曲の評価は、以下、本研究の分析に従い、同時に、頭の変位を適切に考慮して理解されることが好ましい。この技術思想において、頸椎はあまり考慮されていない。頸椎は、関連する分節の状態に適切に適応されるものとする。
【００３０】
４．体重の偏重と補償
分節は有機的に結合されている。特定の分節の変位は、他の分節に影響を与える。体重が足部の前側に偏ってかかる場合、足に加わる体重の外側偏重、足部外転を伴う傾向がある。体重が足部の後側に偏ってかかる場合、足に加わるの体重の内側偏重、足部内転を伴う傾向がある。体重が足部の内側に偏ってかかる場合、足に加わる体重の後側偏重、足部内転を伴う傾向がある。体重が足部の外側に偏ってかかる場合、足に加わる体重の前側偏重、足部内外転を伴う傾向がある。これと共に、足に加わる体重の偏りは、下肢の筋緊張を不均衡化する。下肢の筋緊張の不均衡化は、股関節の内、外回転の変因になる。体重が足部の前側、外側に偏ってかかると、股関節の外回転を伴う傾向がある。体重が足部の後側、内側に偏ってかかると、股関節の内回転を伴う傾向がある。このとき、そのうちの一部のみ伴うことも、全て伴うこともある。
【００３１】
４−１．足部の前側に体重が偏ってかかる場合の補償
股関節が伸展、外回転され、骨盤は前方変位、後方傾斜される。腰椎前湾は減少し、胸堆後湾は増加する。肩甲骨が伸展される。人体の重力中心が下降する傾向がある。その場合、肩甲骨は下降する。頭は後引、前屈される傾向があり、前屈が大きい傾向がある。膝関節が屈曲する傾向がある。足部の縦アーチが低下する。足指が伸展される。通常は、足指の間が広がる。長期間にわかって構築される場合には、ハンマートー及び内反膝を生じる。
【００３２】
４−２．足部の後側に体重が偏ってかかる場合の補償
股関節が屈曲、内回転され、骨盤が後方変位、前方傾斜される。腰椎前湾は増加し、胸堆後湾は減少する。肩甲骨が屈曲される。人体の重力中心を上昇させる傾向がある。その場合、肩甲骨が上昇する。
【００３３】
頭は前引、後屈される傾向があり、後屈が大きい傾向がある。膝関節が伸展される。足部の縦アーチが増加する。足指が屈曲される。足指の間が狭くなり、足の親指が人差し指の方に少し曲がる傾向がある。長期間にわたって構築される場合、歪曲足趾、反張膝、外反膝を生じる。
【００３４】
４−３．足部の内側に体重が偏ってかかる場合の補償
股関節が内回転、屈曲され、骨盤が後方変位、前方傾斜される。腰椎前湾は増加し、胸堆後湾は減少する。肩甲骨は屈曲される。人体の重力中心は上昇する傾向がある。その場合、肩甲骨が上昇する。
【００３５】
頭が前引、後屈される傾向がある。膝関節は伸展される。足部の縦アーチが増加する。足指が屈曲される。足指の間が狭くなり、足の親指が人差し指の方に曲がる。長期間にわたって構築される場合、反張膝、外反膝を生じる。
【００３６】
４−４．足部の外側に体重が偏ってかかる場合の補償
股関節は外回転、伸展され、骨盤は前方変位、後方傾斜される。腰椎前湾は減少し、胸堆後湾は増加する。肩甲骨は伸展される。人体の重力中心が下降する傾向がある。そのような場合、肩甲骨は下降する。頭は後引、前屈される傾向があり、膝関節は屈曲される傾向がある。足部の縦アーチが低下する。足指は伸展される。通常は、足指の間が広がる。長期間にわたって構築される場合、内反膝を生じる。
【００３７】
５−１．足部の内転と補償
股関節は内回転、屈曲され、骨盤は後方変位、前方傾斜される。腰椎前湾は増加し、胸堆後湾は減少する。肩甲骨は屈曲される。人体の重力中心が上昇する傾向がある。そのような場合、肩甲骨は上昇する。頭は前引、後屈される傾向がある。
【００３８】
５−２．足部の外転と補償
股関節は外回転、伸展され、骨盤は前方変位、後方傾斜される。腰椎前湾は減少し、胸堆後湾は増加する。肩甲骨は伸展される。人体の重力中心が下降する傾向がある。そのような場合、肩甲骨は下降する。頭は後引、前屈される傾向がある。
【００３９】
６−１．股関節の内回転と補償
股関節は屈曲され、骨盤は後方変位、前方傾斜される。腰椎前湾は増加し、胸堆後湾は減少する。肩甲骨は屈曲される。人体の重力中心は上昇する傾向がある。そのような場合、肩甲骨は上昇する。頭が前引、後屈される傾向がある。
【００４０】
６−２．股関節の外回転と補償
股関節は伸展され、骨盤は前方変位、後方傾斜される。腰椎前湾は減少し、胸堆後湾は加する。肩甲骨は伸展される。人体の重力中心は下降する傾向がある。そのような場合、肩甲骨は下降する。頭は後引、前屈される傾向がある。
【００４１】
７−１．骨盤の前方傾斜と筋
股関節内回転筋、体幹屈曲筋、股関節屈曲筋、膝関節伸展筋、足首関節背部屈曲筋、肩甲骨の屈曲筋は過緊張する。一般的には、人体の重力中心は上昇する。そのような場合、肩甲骨上昇筋、胸部呼吸筋は過緊張する。
【００４２】
７−２．骨盤の後方傾斜と筋
股関節外回転筋、体幹伸展筋、股関節伸展筋、膝関節屈曲筋、足首関節下部屈曲筋、肩甲骨の伸展筋が過緊張する。一般的には、人体の重力中心は下降する。そのような場合、肩甲骨上昇筋は緊張弱化、腹部呼吸筋は過緊張する。
【００４３】
８−１．足部の前側に体重が偏ってかかる場合の筋
股関節外回転筋、体幹伸展筋、股関節伸展筋、膝関節屈曲筋、足首関節下部屈曲筋、肩甲骨伸展筋が過緊張する。一般的には、人体の重力中心は下降する。そのような場合、肩甲骨上昇筋は緊張弱化、腹部呼吸筋は過緊張する。
【００４４】
８−２．足部の後側に体重が偏ってかかる場合の筋
股関節内回転筋、体幹屈曲筋、股関節伸展筋、膝関節伸展筋、足首関節背部屈曲筋、肩甲骨の屈曲筋が過緊張する。一般的には、人体の重力中心は上昇する。そのような場合、肩甲骨上昇筋、胸の呼吸筋は過緊張する。
【００４５】
８−３．足部の内側に体重が偏ってかかる場合の筋
股関節内回転筋、体幹屈曲筋、股関節屈曲筋、膝関節伸展筋、足首関節背部屈曲筋、下肢の内側筋、肩甲骨屈曲筋が過緊張する。下肢の外側筋の緊張は弱化される。一般的に、人体の重力中心は上昇する。そのような場合、肩甲骨上昇筋、胸部呼吸筋は過緊張する。
【００４６】
８−４．足部の外側に体重が偏ってかかる場合の筋
股関節外回転筋、体幹伸展筋、股関節伸展筋、膝関節屈曲筋、足首関節下部屈曲筋、下肢の外側筋、肩甲骨伸展筋が過緊張する。下肢の内側筋の緊張は弱化される。一般的に、人体の重力中心は下降する。そのような場合、肩甲骨上昇筋は緊張弱化、腹部呼吸筋が過緊張する。
【００４７】
９．脊椎側湾
体重が側方に偏ってかかる場合、体重は足部の外側に偏重される。体重が側方に頻繁に偏ってかかる人の場合には、正しい姿勢を取るよりも、一定時間を周期で左側偏重と右側偏重とを繰り返す傾向がある。そのため、体重の側方偏重が長期間にわたって繰り返し、持続される場合、両足部において体重が外側に偏ってかかる状態として構築される。体重の側方偏重が頻繁な人の場合には、体重の側方偏重が両方向にバランスよく生じるよりも、比較的特定の方向に対する偏重がより長期間にわたって行われる傾向がある。このように、長期間にわたって繰り返し、持続される場合、人体は当時の状態に最適化して構築される。このとき、最適化の構築は、体重の偏重が比較的主導的に生じる位置の中心を基準にして行われる。これが脊椎側湾の原因になる。長期間にわたって繰り返し、持続される場合、ある程度脊椎の病変及び奇形の程度が増加する。一般的に、体重が偏ってかかる足は、反対側の足に比べて足部の後、外側を中心にして主導的に体重が負荷される。
【００４８】
９−１．足部の矢状軸と人体の矢状軸が並行する場合の脊椎側湾
足先は正面に向かっている。以下では、体重が左側に偏ってかかる場合のみを説明する。しかし、その反対の場合にも同様に適用可能である。体重が左側足に偏ってかかる場合、骨盤は左側変位される。偏重の増加すればするほど変位も増加する。体重の大概が左側足によって支えられる場合、骨盤の重量中心と左側足に主導的に体重が負荷されれる位置は、比較的垂直線上で一致する。
【００４９】
冠状面において骨盤は右側傾斜される。左側下肢の股関節、膝関節が過度伸展される。腰椎は右突出、胸堆は左突出される。上肢帯は左側傾斜、頭は左屈される。上肢帯と頭を正しくしようと意識的に努力する場合には、左側肩甲骨が上昇される。しかし、意識的に努力しても、頭は継続して左屈の傾向を示す。一般的に、脊椎側湾は脊椎全般にわたって緩慢な曲線を描いて形成される。しかし、長期間にわたって構築された脊椎側湾とともに、上肢帯と頭を正しくしようとする意識的努力があった場合には、その意識的努力は自然な補償に反するものであるので、脊椎の特定部位に急な脊椎側湾を形成し、脊椎側湾が不規則的になる。頭は左屈、前屈、後引される傾向がある。
【００５０】
９−２．足部の矢状軸が人体の矢状軸から外転された場合の脊椎側湾
足が人体の矢状軸から外転、視線は正面(f)に向かっている。ここでは、体重が左側に偏ってかかる場合のみを説明する。しかし、その反対の場合にも同様に適用可能である。図１２は、水平面における骨盤と足を示した図である。(１)は体重の偏っりがない状態であり、(２)は体重が左側に偏ってかかる状態を示している。体重が左側足(a)に偏ってかかる場合、骨盤(b)は左側変位されるとともに、左側骨盤は後方回転、右側骨盤は前方回転され(２)。体重の偏重の大きくなるほど補償は増加する。体重の殆どが左側足によって支えられる場合には、骨盤の中心と左側足で主導的に体重が負荷される位置が比較的垂直線上で一致し、骨盤の冠状軸と足部の矢状軸とが交差され、ほぼ直交に近い角度をなす(２)。冠状面において骨盤は右側傾斜される。左側下肢の股関節、膝関節は過度に伸展される。腰椎は右突出、胸堆は左突出される。上肢帯は左側傾斜、頭は左屈される。上肢は、骨盤の回転とともに自然に左側に回転される。しかし、体重が側方に偏ってかかる前の視線は正面(f)に向かっていた。そのため、正面(f)に向かって右回転する傾向がある。以下では、正面(f)に向かって右回転するものとする。回転は、人体全般にかけて比較的均等に生ずる。比較的左側足を基準にして足部の上部の分節が正面(f)に向かって次第に均等に回転され、頭の回転を最後に回転が終わる。しかし、変位以前の最初位置までは回転されない傾向がある。左側肩甲骨が屈曲され、上肢の前面がより正面(f)に近づくように助ける傾向がある。回転の結果、脊椎は、脊椎側湾と正面(f)に向かった回転が同時に行われる。上肢帯と頭を正しくしようとする意識的な努力がある場合、左側肩甲骨は上昇される。しかし、頭は依然として左屈の傾向を示す。
【００５１】
この場合、脊椎湾曲の変化は複雑である。体重が側方に偏ってかかる場合、体重が足部の外側に偏重される。また、下肢の筋が不均衡化し、股関節が内回転、外回転される傾向がある(比較的股関節は外回転する場合が多い)。他に、前記変因が全て揃った場合には、股関節の伸展、外回転が大きく、体重が足部の前側に偏重される傾向を示す。従って、この場合の脊椎湾曲は、該変因と、その関係程度を考慮する必要がある。頭は左屈、前屈、後引、右回転される傾向がある。
【００５２】
１０−１．頭の前屈及び後屈と目
頭が前屈すると眉毛が上昇、外転され、後屈すると眉毛が下降、内転される傾向がある。
【００５３】
１０−２．頭の前引及び後引と目
頭が前引すると眉毛が下降、内転され、後引すると、眉毛が上昇、外転される傾向がある。
【００５４】
１０−３．頭の側屈と目
以下では、頭が左屈された場合のみ説明する。しかし、その反対の場合でも同様に適用することができる。定常な状態で両目をつなげた仮想の線は水平である。頭が左屈されると、前記仮想の線が左側傾斜される。水平線上で左目は右目よりも下方に位置する。そのため、目の高さまたは上側に位置している対象は、比較的右目により明確に認知される。この場合、左側眉毛を上昇し、左側瞼を牽引する傾向がある。これは、両目において目の高さ、または目の上の視野を同様に確保しようとする努力が原因であると考えられる。このような状態が長期間にわたって繰り返し、持続されて構築される場合、右目が主視眼、左目が副視眼になる傾向がある。
【００５５】
１０−４．頭の側方回転と目
以下の説明は、９−２の足部の矢状軸が人体の矢状軸から外転された場合の脊椎側湾に基づく。従って、変因と補償が同一延長線上で進む。９−２の足部の矢状軸が人体の矢状軸から外転された場合の脊椎側湾において、体重が左側に偏ってかかる前の視線方向である正面(f)に向かって頭が右回転された。結果的には、頭は最初の位置まで回転されない傾向があった。以下では、それを前提にして説明する。この場合、視線を正面(f)に向けるためには、視線を右側に向ける必要がある。物体は比較的右目によって認知される。このような状態が長期間にわたって繰り返し、持続されて構築される場合、右目が主視眼、左目が副視眼になる傾向がある。これと共に、頭が左屈される傾向もあった。頭の左屈がある場合、頭の左屈が原因である目の変化が同時に進む。
【００５６】
１１．鼻における補償
鼻の構造は、上顎歯牙と有機的に結合されている。従って、上顎歯牙の変位は鼻の変因になる。鼻の変位は、上顎歯牙の変位に従う。比較的上顎歯牙と構造的に当接する鼻中隔の軟骨の下側部で大きく生じる。
【００５７】
１２−２．歯牙の変位
以下、歯牙の前面を外部、後面を内部と定義する。口腔内圧、舌圧が歯牙に係わる場合、これは歯牙に対して内部圧力として作用する。歯牙を覆っている口輪筋の緊張及び重さは、歯牙に対して外部圧力として作用する。正常の場合には、上顎歯牙は下顎歯牙に対して外部圧力、下顎歯牙は上顎歯牙に対して内部圧力として作用する。自然に咬合した状態とは、内部圧力と外部圧力とがバランスをとっている状態である。それの変化は歯牙の変因になる。このとき、歯牙の変位は、物理法則によって説明することができる。
【００５８】
１３．下顎の変位
人体は、特定の分節が変位されると、他の分節で補償してバランスをとる。しかし、自然な補償過程で下顎に変位を要求する場合、下顎の変位は人それぞれである。下顎に要求される補償が下顎に適切に反映される場合もあるが、そうでない場合もある。また、第３の形態に歪曲される場合も頻繁に起こる。これは、有機体の特徴や環境要因などが主な原因である。例えば、審美的欲求、コンプレックスの補完、政治的目的などが原因である下顎の状態または変位などが挙げられる。この技術思想は、比較的一般的なものを対象にしているため、上記のような有機体の特徴や環境要因などが原因である下顎の変位及びその補償は排除した。上下顎の歯牙は咬合している。そのため、下顎の変位は、上下顎歯牙の変因になり得る。歯牙を激しく咬み合ったときの位置を最大咬合というが、これは正常な下顎骨の位置ではない。上顎と下顎との間を１．５〜５mm程度開いているときが正常な位置である。このように、上顎と下顎との間が少し開いている空間をfree wayという（「臨床運動学」ヨンブン出板社、ベ・ソンス）。
【００５９】
１３−１．頭の前引と下顎の補償
頭が前引される場合には、上下顎歯牙を咬合しようと意識的に努力しないければ自然に口が開く。これは、上顎を基準にして下顎が下降、後引されたものと考えられる。このとき、上下顎の歯牙が咬合するためには、下顎が上昇、前引される必要がある。下顎の上昇、前引のためには、下顎の上昇、前引筋が過緊張される。このとき、下顎歯牙が上顎歯牙を押す傾向がある。下顎歯牙が上顎歯牙を押す場合、摩擦力が増加する。これは、下顎が重力に抵抗し、咬合状態の維持に役立つ。Free way状態と下顎歯牙が上顎歯牙を押す状態が繰り返される。その結果、下顎が少し下降、前引して咬合される傾向がある。下顎が下降する場合、これは、上顎歯牙に対して上方に作用する内部圧力が減少した結果である。これが長期間にわたって繰り返し、持続されると、矢状面において上顎歯牙は前方、下方変位、唇側傾斜され、下顎歯牙は後方変位、唇側傾斜されて構築される。上顎歯牙の下方変位は、free wayまたは開口時に主に生じる。水平面においては、歯列が尖形を有する傾向がある。上顎歯牙の歯列前方が不規則的に重なったり、ずれたりする傾向が多少ある。切断咬合される傾向がある。上顎歯牙が前方、下方変位された結果、鼻中隔の軟骨が前方、下方変位され、鼻が長く、鼻先が少し高くなる。下顎が下降、前引され、下顎の前引、上昇筋が過緊張される。
【００６０】
１３−２．頭の後引と下顎の補償
頭が後引される場合には、下顎が後引される傾向がある。これは、頭の後引に順応して分節の重さを最大限後方変位しようとする努力が主な原因である。以下、下顎は後引されるものとする。下顎が後引される場合、これは、上顎歯牙に対して前方に作用する内部圧力が減少した結果である。これが長期間にわたって繰り返し、持続されると、矢状面における上顎歯牙は後方変位、唇側傾斜され、下顎歯牙は前方変位、唇側傾斜されて構築される。下顎歯牙の前方変位、唇側傾斜は、口腔内圧または、場合によっては舌の圧力が原因になる。水平面において歯列が長方形を有する傾向があり、また、過被蓋咬合される傾向がある。下顎が後引され、歯列の再整列が行われる過程、または歯列再整列の後、筋緊張が弱化すると、下顎は自然に元の位置に戻ろうとする。しかし、歯列が再整列されているので当時の状態を維持することが求められる。このとき、下顎の後引筋または後引、上昇筋の過緊張が生じる。または、歯を噛む傾向がある。これによって摩擦力が増加する。これは、下顎が後引された状態を維持するのに役立つ。従って、下顎が後引、上昇されて歯列が再整列される過程、または歯列再整列の後にfree wayが観察される状態、歯を噛むという状態が繰り返される。上顎歯牙が後方変位された結果、鼻中隔の軟骨が後方変位され、鼻先は少し低くなる傾向がある。下顎は後引、下顎の後引、上昇筋が過緊張される。
【００６１】
１３−３．頭の後屈と下顎の補償
頭が後屈される場合には、上顎歯牙、下顎歯牙を咬合しようとする意識的に努力しない限り自然に口が開く。これは、上顎を基準にして下顎が下降、後引されたと考えられる。このとき、上顎歯牙、下顎歯牙が咬合するためには、下顎が上昇、前引されなければならない。下顎の上昇、前引のために、下顎の上昇、前引筋に過緊張が生じる。このとき、下顎歯牙が上顎歯牙を押す傾向がある。下顎歯牙が上顎歯牙を押すことによって摩擦力が増加する。これは、下顎が重力に抵抗し、咬合状態を維持するのに役立つ。Free way状態と、下顎歯牙が上顎歯牙を押す状態が繰り返される。結果的に、下顎が少し下降、前引して咬合する傾向がある。下顎が下降する場合、これは、上顎歯牙に対して上方に作用する内部圧力が減少した結果である。これが長期間にわたって繰り返し、持続されると、矢状面における上顎歯牙は前方、下方変位、唇側傾斜され、下顎歯牙は後方変位、唇側傾斜されて構築される。上顎歯牙の下方変位は、free wayまたは開口時に主に生じる。水平面においては、歯列が尖形を有する傾向がある。下顎歯牙の歯列前方が不規則的に重なったり、ずれたりする傾向が多少ある。切断咬合される傾向がある。上顎歯牙が前方、下方変位された結果、鼻中隔の軟骨が前方、下方変位され、鼻が長く、鼻先が少し高くなる傾向がある。その結果、下顎が下降、前引、下顎の前引、上昇筋が過緊張される。
【００６２】
１３−４．頭の前屈と下顎の補償
頭が前屈されると、重力によって下顎が自然に前引、下降される。上顎歯牙と下顎歯牙との摩擦が生じる。このとき、上顎歯牙と下顎歯牙との摩擦を避けようとする傾向がある。摩擦のないfree way状態を維持するためには、下顎の後引筋が等尺性收縮しなければならない。しかし、このとき、下顎の後引筋が過緊張され、下顎が後引される傾向がある。そのため、下顎は後引、下降される。以下では、下顎が後引、下降されたものとする。下顎が後引、下降されると、上顎歯牙、下顎歯牙の間が遠くなる。上顎歯牙に対する内部圧力が減少した結果である。これが長期間にわたって繰り返し、持続されると、矢状面における上顎歯牙は後、下方変位、唇側傾斜され、下顎歯牙は前方変位、唇側傾斜されて構築される。上顎歯牙の下方変位は、free wayまたは開口時に主に生じる。下顎歯牙の前方変位、唇側傾斜は、口腔内圧または場合によって舌の圧力が原因になる。水平面においては、歯列が卵円形を有する傾向がある。切断咬合される傾向がある。下顎が後引、下降して歯列の再整列が行われる過程、または歯列再整列の後に筋緊張が弱化すると、下顎は自然に元の位置に戻ろうとする。しかし、歯列が再整列されているので当時の状態を維持することが求められる。このとき、下顎の後引筋が過緊張される。または、歯を噛む傾向がある。歯を噛むことによって摩擦力が増加する。これは、下顎の後引状態を維持するのに役立つ。従って、この場合、下顎が後引、下降されて歯列が再整列される過程、または歯列が再整列されてfree wayが観察される状態、歯を噛むという状態が繰り返される。上顎歯牙が後、下方変位されると、鼻中隔の軟骨が後、下方変位されて鷲鼻になる傾向がある。その結果、下顎が後引、下降、下顎の後引、上昇筋が過緊張される。
【００６３】
１３−５．頭の側屈と下顎の補償
以下では、頭が左屈される場合のみを説明する。その反対の場合でも同様に適用することができる。下顎の変位は、上顎歯牙の変因になる。このような状態が長期間にわたって繰り返し、持続されると、左側の上顎歯牙は左、上方変位され、右側の上顎歯牙は、左、下方変位されて構築される。その他に、歯牙変位は舌や口輪筋とも係わっている。頭が左屈されると、舌が自然に左側変位されて歯牙を左側に押す。舌が歯牙を前方に押す習慣がある場合には、舌による歯牙変位が増加する。
【００６４】
重力によって上顎歯牙に作用する右側口輪筋に対する外部圧力は増加し、左側口輪筋に対する外部圧力は減少する。一般的には、重力の影響を受ける場合には、上顎歯牙、下顎歯牙が全て右側傾斜される。しかし、この場合、冠状面における上顎歯牙は右側傾斜されるが、下顎歯牙は左側傾斜される傾向がある。下顎歯牙の左側傾斜は、重力に抵抗して元の位置を維持（均衡及び審美的欲求が原因）しようとする下顎の努力が少し存在することと、舌が歯牙に対して変位圧力として作用することが原因である。下顎が左側回転されて咬合されるので、水平面において歯列の左側前方は突出し、右側前方は陥没するといった歪んだ形態になる。上顎歯牙の変位により鼻中隔の軟骨が左側に曲がる。頭は視線に従って変位される。このとき、下顎はできる限り当時の状態を維持しようとする。その結果、運動時に左側下顎の上昇筋、右側下顎の下降筋は過緊張される（このとき、下顎、これと系わる構造に変位、変異の過程が含まれることもある。しかし、前記変位は、比較的短時間に行われるものであるので考慮しない)。正確な判断のためには考慮されなければならないのが多く存在するので速断は難しいが、長期間加えられた少量の水か岩に穴を作るように、比較的短時間に大きく行われた運動に比べて、長期間繰り返し、持続された小さな運動が筋骨格系により大きく影響を与える傾向がある。これは、他の分節においても同様であり、特に多様な体形の形成に大きく係わる。
【００６５】
１３−６．頭の左、右回転と下顎の補償
以下では、頭が右回転された場合のみを説明する。しかし、その反対の場合でも同様に適用可能である。頭が右回転される場合、上顎の右回転に比べて下顎の右回転が少ない。これは、上顎を基準にして下顎が左回転した形態であると考えられる。同時に、頭は右回転時に左屈、左回転時に右屈される。頭の変位は、１３−５の頭の「側屈と下顎の補償」に記載の変位と類似している。よって、下顎の変位においては、１３−５の「頭の側屈と下顎の補償」に記載されている変位を引用する。しかし、同一程度の左屈が存在する場合には、１３−５の「頭の側屈と下顎の補償」に記載されている程度に比べて下顎の変位、それの補償が大きい。
【００６６】
１４．足部の類型
１４−１．柔軟性扁平足
柔軟性扁平足は、体重が足部の外側に偏ってかかることが原因である。体重が足部の外側に偏重される場合、足裏の内側の縦アーチが低下する。足に加わる体重の前方偏重を伴うほど縦アーチはより低下する。
【００６７】
１４−２．硬直性扁平足
硬直性扁平足は、体重が足部の前側に偏ってかかることが原因である。体重が足部の前側に偏重される場合、縦アーチが低下する。足に加わる体重の外側偏重を伴うほど、縦アーチはより低下する。
【００６８】
１４−３．凹足
凹足（pes cavus）は、体重が足部の後側に偏ってかかることが原因である。体重が足部の後側に偏重される場合、縦アーチが増加する。足に加わる体重の内側偏重を伴うほど、縦アーチはより増加する。
【００６９】
１４−２−４．外反母趾
一般的に、外反母趾症は、ハイヒールなど先端が細い履物をはくことが原因であると知られており、その場合、外反母趾症の主な原因は、足指に対応する履物の先端が細いことであった。実際はそうではなく、外反母趾症は、体重が足部の前、内側に偏ってかかるように構築された人が、ハイヒールなどかかとの高い靴を長期間履く場合に観察されている。ハイヒールなどかかとの高い靴は、体重を前足部に集中させる。姿勢と運動において、前足部の役割は増加し、後足部の役割は減少する。このとき、最も筋力の強い親指足指にその役割が集中されう傾向があり、その結果、体重が足部の前側、内側偏重される。これが長期間にわたって繰り返し、持続されると、体重が足部の前側、内側に偏ってかかるように構築され、足の親指が人差し指側に曲がる。
【００７０】
１４．矯正
人間の姿勢は、地面と支持構造との関系によって自然に形成される。この研究では、支持構造は足を指すものとする。人は最終的には足によって体を支えている。地面に接している足部の状態は、人間の姿勢に大きな影響を与える。人間は重力の影響を受ける。效果的に起立するために、足が地面に対して強く支持され、分節の位置を適切に調節、分節の重さをバランスよく配分しなければならない。体重が特定の部位に偏ってかかるとバランスが崩れる。そこでバランスをとるためには、さらに分節の位置を調節しなければならない。これが補償の大きな原因である。
【００７１】
体重の偏重に対して補償された姿勢が長期間続くと、人体はその姿勢に最適化される。それには足部の変異も含まれている。変異した足は、該当変異の原因である姿勢が持続されることを求める。これが多様な体形形成の大きな原因になる。体重の偏重が原因になる補償メカニズムに問題が生じた場合には、体重が正しく支えられるように学習及び誘導させることによって解決することができる。
【００７２】
この研究では、様々な分節の変因について分析を行っている。ここで分析した分節の変因は、多様な人体を分析、評価する際に有効に利用することができる。人体に問題があったり、矯正が必要な場合、この研究で分析した変因は、問題解決及び矯正に積極的に利用されることができる。問題解決及び矯正は、問題解決及び矯正効果が得られる足部の状態を学習し、それらと姿勢との相関関係を理解させることによって可能である。このとき、問題解決及び矯正の效果を得ることができる足部の状態には、理想的な状態や必要によって選択された足部の状態が全て含まれる。ここでは、足部に体重が支えられている状態がとても重要である。他に、この研究で分析さした変因は、該当有機体が望む特定の人体状態が存在する場合、その有機体の要求を積極的に収容して問題を解決したり、または所望の状態に改善したりするときに積極的に利用されることができる。
【００７３】
この研究では、理想的な姿勢とは、有機体それぞれの特徴及び環境要因などが充分に考慮され、有機体ごとに正義されるものとしている。従って、客観的に理想的であると評価されても、該当有機体において理想的ではないと判断される場合には、それは矯正の対象になる。また、客観的に異常であると評価されても、該当有機体において理想的であると判断される場合には、それは矯正の対象にならない。
【００７４】
１５．治療
一般的に、体形は体質を、体質は体形を反映し、同一または類似する延長線上でその特性を共有する傾向がある。厳格には区分されているが、比較的体形と体質は、同様の概念として理解することができる。この技術思想は、それらを類似するものとして把握する。
【００７５】
人間の姿勢は、地面と支持構造との関系によって自然に形成される。地面と支持構造との関系によって形成された姿勢が長期間にわたって繰り返し、持続されて構築されたものを体形と定義することができる。構築には筋骨格系の最適化が含まれ、さらには、筋の強化、弱化の概念も全て含まれる。
【００７６】
この技術思想は、多様な体形の変因を分析している。分析した変因は、体形の矯正に利用されることができる。前記のように、体形と体質は類似する概念であるので、この研究では、体形矯正によって体質の矯正が可能であると考えている。これには、有機体の病変、奇形、並びに体形、体質から生じた病変、奇形が全て含まれる。
【００７７】
姿勢維持に係わる筋緊張の状態は、各々の類型において異なる特性を示している。体形の形成過程またはその結果から、臓器を圧迫する筋の緊張状態は、臓器に対して不正または肯定として評価される。過度な衝撃、圧迫、摩擦によって傷、あざ、水泡などが生じた場合、これは外科的には当然なことである。内科においても同様である。このように、内科において、該当姿勢、体形が原因で圧迫される臓器がある場合、それは該当臓器の機能低下、または病変、奇形の原因になる可能性がある。それと反対の場合には、該当臓器の機能において肯定的であると判断することができる。従って、臓器を圧迫する筋緊張が存在し、内科病変が生じた場合には、内科治療の前に該当姿勢、体形を矯正することによって治療が可能であると判断できる。このようなときに、この技術思想を積極的に活用することができる。この技術思想は、姿勢、体形の矯正だけではなく、体質、病変、奇形の矯正、治療、及び美容、学習、運動能力向上などにも活用することができる。この際、補償に関する十分な学習及び理解、心理治療を同時に行うことにより、より肯定的な效果を得ることができる。
【発明の効果】
【００７８】
本発明は、各々の目的に応じて足部で体重を支えることができるように学習及び誘導させる装置であって、病変、奇形の防止と、体形、足部、姿勢、さらには、体質、病変、奇形の矯正及び治療と、美容、運動能力の向上などに利用することにより、人体の状態を改善できるという効果がある。
【発明を実施するための最良の形態】
【００７９】
以下、添付した図面を参照して本発明の好ましい実施形態を詳細に説明する。
【００８０】
本発明は、足裏または足裏に対応する様々な物体の部位に位置、固定するか、または前記該当物体と一体化された形態に製作することができる。
【００８１】
本発明は、インソール本体１００と、凹部及び凸部と、フットプリンタ１６０と、プリント紙１７０と、電子矯正装置とで構成されている。前記インソール本体１００は、上板１１０と、中板１２０と、下板１３０との結合で形成されている。前記フットプリンタ１６０は、インソール本体１００の下面に、前記プリント紙１７０は、フットプリンタ１６０の下に設置されている。
【００８２】
本発明は、必要によって位置、形態、大きさ、素材、構造、構成を変更してもよい。各構造の部位別の形態、大きさ、素材、構造、構成を変更することができ、複数個のピースが結合されて本発明の構造を構成することもできる。
【００８３】
前記足裏に対応する本発明の構造は、２つが１セットであり、両側足部にそれぞれ１つずつ適用するか、または必要によって特定足部にのみ適用してもよい。
【００８４】
図２、図３、図４、図５は、本発明の様々な実施形態とその構造を概略的に示した図である。
【００８５】
このような本発明の構造は、必要に応じて一部の構造を省略したり、所定の目的に応じて再構成することが可能である。その場合にも、本発明の技術思想、構造の特性及び機能は同様に適用される。
【００８６】
凹部及び凸部は、対象者の体重を支える足部の位置及びそれに負荷される体重の程度など、所定の目的に応じて足裏の感覚を通じて認知できるようにする装置であって、インソール本体１００に形成され、所定の目的に符合した状態で足部で体重を支えることができるように学習及び誘導させる装置である。
【００８７】
前記凹部及び凸部は、様々な原理、構造、構成により形成されることができる。インソール本体１００の上面に突出部を形成して凸部として機能するようにし、沈降部を形成して凹部として機能するようにすることができ、凹部及び凸部の機能を有する構造が体重が負荷されないときには、インソール本体１００の上面に突出または沈降された形態を形成しないように製作されるが、体重が負荷されるときには、インソール本体１００の上面に比べて小さく押された構造は凸部として、多く押された構造は凸部として機能することができる。必要に応じて両方を混合して製作することもできる。
【００８８】
凸部の機能を有する構造は、体重が負荷されたとき、体重によって押されてインソール本体１００の上面と同じか、類似した高さを形成するが、そうでない場合もある。凹部の機能を有する構造は、体重が負荷されてインソール本体１００の上面に体重によって押されたとき、インソール本体１００の上面と同じか、類似した高さを形成するが、そうでない場合もある。
【００８９】
突出装置１４０は凸部、沈降装置１５０は凹部の機能を有する。突出装置１４０と沈降装置１５０は、目的に応じて中板１２０の穴に挿入される。突出装置１４０と沈降装置１５０は、上部から見て前記中板１２０の穴に対応するか、または類似した大きさ、形態、構成を有することができる。
【００９０】
突出装置１４０は、中板１２０の穴より高く形成され、最終的にはインソール本体１００の上面に突出部位を形成することによって凸部の機能をするものであって、中板１２０の穴と同じ高さに製作されるが、中板１２０より強い弾性を持つ素材で形成され、体重が負荷されたとき、他のインソール本体１００の部位よりも小さく押されるか、あるいは押されないことで凸部としての機能をする。必要に応じて、前記方法を混合することも可能である。なお、突出装置１４０には、凸部の機能を助けるために、下面または上面にスプリングなどを結合してもよい。
【００９１】
沈降装置１５０は、中板１２０の穴より低く製作され、最終的にインソール本体１００の上面に沈降部位を形成することによって凹部として機能するものであって、中板１２０の穴と同じ高さに製作されるが、中板１２０より弱い弾性を持つ素材で形成され、体重が負荷されたとき、他のインソール本体１００の部位よりも大きく押されて凹部として機能することができる。必要に応じて、前記方法を混合することも可能である。他に、場合によって、沈降装置１５０は、中板１２０と同じ素材で、中板１２０の穴に対応するか、または類似した大きさに製作し、中板１２０に挿入され、中板１２０の一部として機能するようにすることもできる。
【００９２】
突出装置１４０及び沈降装置１５０は、目的に応じて中板１２０の穴に全て適用するか、一部のみ適用するか、全て適用しないこともできる。中板１２０の穴に突出装置１４０と沈降装置１５０のいずれも適用されない場合、中板１２０の穴は凹部として機能することができる。
【００９３】
突出装置１４０及び沈降装置１５０は、必要に応じて笛の原理を有する構造、すなわち、電子装置などの動作によって音を出す構造を有してもよい。
【００９４】
凹部及び凸部の構造は、必要に応じて位置及び個数を変更することができ、両足部においてそれぞれ異なるように形成することもできる。凹部及び凸部は、目的に応じてインソール本体１００に形成されるので、対象者の足で体重を支えることができるようにする理想の位置と一致しないこともある。
【００９５】
本発明の適用においては、対象者が凸部を基準に所定の目的を認知することが容易であり、その目的達成に效果的であると判断される場合には、インソール本体１００の上面に該目的に応じた凸部を形成し、それを該目的に基づいて認知することができるようにし、所定の目的が学習及び誘導されるようにする。このとき、凹部を形成しないこともある。
【００９６】
これに対し、対象者が凹部を基準に所定の目的を認知することが容易であり、該目的達成に效果的であると判断される場合には、インソール本体１００の上面に該目的に応じた凹部を形成し、それを該目的に基づいて認知するおとができるようにし、所定の目的が学習及び誘導されるようにする。このとき、凸部を形成しないこともある。
【００９７】
また、対象者が凹部及び凸部が混合した形態を基準に所定の目的を認知することが容易であり、該目的達成に效果的であると判断される場合には、インソール本体１００の上面に該目的に応じた凹部及び凸部を混合して形成し、それを該目的に基づいて認知することがようにし、所定の目的が学習及び誘導されるようにする。
【００９８】
他に、対象者が凹部及び凸部以外のインソール本体１００の部位を基準に所定の目的を認知することが容易であり、該目的達成に效果的であると判断される場合には、凹部及び凸部を除くインソール本体１００の部位を基準に認知することができるように、所定の目的に応じてインソール本体１００に凹部及び凸部を形成し、それを該目的に基づいて認知することができるようにし、所定の目的が学習及び誘導されるようにする。このとき、凹部及び凸部は必要に応じて全てまたは一部を形成してもよい。
【００９９】
インソール本体１００は、足裏の全面または一部に所定の大きさに形成され、基本的なインソールの機能をするものであって、突出装置１４０及び沈降装置１５０を含むことを特徴とする。
【０１００】
本発明において、足裏と当接するインソール本体１００の上面は、平面に形成したり、または対象者が所定の目的に応じて正確に体重を支えることができるように、あるいは所定の目的に応じて形成された凸部及び凹部を該目的に基づいて明確に認知できないか、助けを必要とする場合、それを解決するために、対象者の足部の状態を考慮した上でインソール本体１００上面の高低を変更することができる。そのような場合、インソール本体１００に含まれる構造は、所定の目的に符合する範囲内で、インソール本体１００の状態に適切に対応する構造を有することができる。
【０１０１】
本発明の適用において、対象者の両脚の長さが互いに異なる場合には、所定の目的に応じて形成された凹部及び凸部を該目的に基づいて正確に認知できるようにするため、対象者の状態を考慮した上でインソール本体１００及びそれに適用された該当構造の高さを両脚においてそれぞれ異なるように形成することができる。なお、中板１２０は、必要に応じて位置、個数、形態、大きさ、構成がそれぞれ異なる複数個の穴を有することができる。
【０１０２】
上板１１０と下板１３０は、中板１２０に適用された突出装置１４０及び沈降装置１５０を固定させる役割をするものであって、上板１１０は、中板１２０の上面、下板１３０は、中板１２０の下面に結合される。上板１１０と下板１３０が最終的に突出装置１４０及び沈降装置１５０が設けられた中板１２０に結合される場合、突出装置１４０及び沈降装置１５０を含む中板１２０の状態に適応する形態を有することができる。このように結合された上板１１０と、中板１２０と、下板１３０は、上部から見たとき同一、または類似した大きさを有することができる。上板１１０は、凸部の機能を有するものではないが、所定の目的を正確に認知させるために、または、滑り防止、指圧、反射区療法などのために、所定の凹凸を形成することも可能である。
【０１０３】
上板１１０と中板１２０、中板１２０と下板１３０、または上板１１０、中板１２０、下板１３０の全てを最初から一体化された形態に製作することもできる。上板１１０、中板１２０、下板１３０が一体化された形態に製作される場合、中板１２０の穴にあたる部位１２１には、必要に応じて、注射器やその他の方法により、空気、液体、シリコン、ゴム、合成樹脂など、多様な素材を挿入してその形態が維持されるように加工し、それぞれ凹部及び凸部として機能するようにすることも可能である（図６）。
【０１０４】
本発明の構造は、適切な物性を有する多様な素材で製作することができ、適切な方法に準ずる公知の成形技術、その他の応用方法など、様々な方法により製作することができる。
【０１０５】
本発明は、最初から一体化されて製作することができ、所定の特性を有する構造またはその一部分が結合して一体化されることができる。これは、製作工程上の問題であって、当業者であれば簡単に応用することができるであろう。
【０１０６】
このような本発明の構造は、適切な物性を有する接着剤、ネジ、ボルト、ナットなどを用いて、その一部の構造に溝を形成し、それに対応する部分に前記溝に対応する突出部位を形成し、その溝に突出部位を嵌め込む方法など、結合及び固定する方法は様々である。
【０１０７】
また、本発明の適用において、独立した形態のインソールに製作し、履物の内側の底面に適用できるインソールとして使用するか、または、足裏にあたる履物の底面に結合させることによって、履物と一体化させて使用することも可能である。
【０１０８】
また、室内活動が多い人のために、独立した形態に製作し、靴下２００の中に挿入して使用できるようにするか、または、所定の目的に応じて靴下２００と一体化させて製作することもできる。本発明は、所定の目的に応じて一部の構造は省略してもよい。靴下２００に適用する場合には、所定の目的に応じて突出装置１４０のみを形成し、所定の目的に応じて足裏にあたる靴下２００の内側または外側に結合させて製作することも可能である（図７）。
【０１０９】
他に、靴下２００に適用する場合には、対象者が自ら必要に応じて靴下２００に突出装置１４０を適用できるようにすることも可能である（図７）。ここで、便宜を図るために、下板１３０を足裏に対応する大きさ及び形態を有する転写紙４００とし、これに所定の目的に応じて突出装置１４０を付着して製作することができる。この場合、使用者は、前記構造を利用して靴下２００に突出装置１４０を付着した後、転写紙４００を取り除く。ここで、適切な接着剤を使用して付着することができる。
【０１１０】
また、熱が加わったときに接着力が発生する素材で突出装置１４０を製作し、それに熱を加えて靴下２００に付着されるようにすることもできる（図７）。この方法は、図柄や文字などが含まれた転写紙を服などにつけ、熱を加えて該図柄や文字が服に付着、プリントさせるような方法と類似している。
【０１１１】
前記接着剤を使用する場合、靴下２００ではなく足部３００に直接適用されるようにすることも可能である（図８）。その場合には、着脱が容易な接着剤を使用する。足部に適用する場合、必要に応じて該当構造を構成し、足部に固定させることも可能である。固定させるために、紐やベルトなどが使用される。このようにして、紐やベルトなどの構造を該当構造に固定させることができる。
【０１１２】
フットプリンタ１６０は、コピーペーパーまたはそれと類似する機能を有する素材を含み、インソール本体１００の下面に対応する大きさを有することができる。フットプリンタ１６０は、フットプリント（足跡）をつくる装置であって、体重が負荷される程度を部位毎に、下にあるプリント紙１７０にカラーでプリントされるようにする装置である。
【０１１３】
プリント紙１７０は、紙など前記のような機能を有する素材であればよく、フットプリンタ１６０の下面に着脱可能に結合または位置する。プリント紙１７０は、フットプリンタ１６０に対応するか、類似した大きさを有することができる。
【０１１４】
本発明において、電子矯正装置５００を適用する場合には、フットプリンタ１６０、プリント紙１７０を省略してもよい。
【０１１５】
前記電子矯正装置５００は、矯正プログラム８１０に基づいて動作し、それを学習するようにする装置であって、有線または無線で端末装置６００及びウェブサイト７００とデータを交換及び共有しながら動作する。
【０１１６】
前記電子矯正装置５００は、一部の構造が独立した形態で外部に位置及び固定されており、有線または無線で該当装置とデータを交換及び共有しながら動作することができる。
【０１１７】
前記電子矯正装置５００は、矯正プログラムに基づいて動作し、運営システムと、インターネットプロトコル部と、有線または無線通信を行うことができるモデム及びネットワークアダプタなどの装置と、部位毎に体重が負荷される程度を感知し、矯正プログラムマスター５０４に出力する足裏圧力感知センサー５１１と（複数個で構成されてもよい。一つで構成される場合には、該当する足に対応する大きさを有することができる。同様に、部位毎に体重が負荷される程度を感知することができる）、必要に応じて人体の分節に付着され、その分節の位置を感知し、それを有線または無線で矯正プログラムマスター５０４に出力する分節位置感知センサー５１２と、該当筋力を感知し、それを有線または無線で矯正プログラムマスター５０４に出力する筋力感知センサー５１３と（図１１）、足裏の圧力感知センサー５１１から入力されたデータを分析及び処理し、矯正プログラム８１０と比較及び分析し、矯正プログラム８１０に基づいて各装置を作動するようにし、各装置に該当データを出力する矯正プログラムマスター５０４と、足裏の圧力感知センサー５１１から入力されて矯正プログラムマスター５０４で分析及び処理されたデータ（以下「学習データ」という。学習データには、体重が負荷される位置、程度、時間などの部位別、程度別、時間別の統計が含まれる）及び矯正プログラム８１０などを格納するデータベース５０６と、データベース５０６にデータの入力及び出力を要請するデータベース管理部と、有線または無線で端末装置６００及びウェブサイト７００に学習データ８２０と矯正プログラム８１０を出力する出力部５０８と、有線または無線で端末装置６００、ウェブサイト７００から矯正プログラム８１０が入力される入力部５０７と、体重が負荷されるべき位置、程度、及び負荷されてはならない位置、程度、ならびに電子矯正装置５００の作動において、エラー、矯正プログラム８１０のアップグレードなど、メッセージが存在する場合、その内容を画像データ、音声メッセージ、信号音、震動などによって使用者に知らせる信号部と（前記機能を有する装置であればよく、モニターや液晶画面などの画像部と、音声メッセージ、信号音などで該当メッセージを出力する音響部と、震動などで該当メッセージを出力する震動部などで構成される）、前記メッセージを確認して実行したり、取り消したり、該メッセージに相応した動作を操作することができるコントロール部と（コントロール部は、対象者の確認を要する信号が発生した場合、それを確認し、該当信号の中断を命令する確認部と、矯正プログラムの実行を命令する実行部と、実行の取り消しを命令する取り消し部を有することができる）、各装置を動作するようにするバッデリー５１０、アダプタを連結するソケットとから構成されている。
【０１１８】
分節位置感知センサー５１２、筋力感知センサー５１３を有する場合、電子矯正装置５００は、分節位置感知センサー５１２、筋力感知センサー５１３と連動することができ、矯正プログラムマスター５０４は、前記分節位置感知センサー５１２、筋力感知センサー５１３が感知した該当データを分析及び処理することができる。この際、矯正プログラム８１０は、分節位置感知センサー５１２、筋力感知センサー５１３の動作に必要な該当データを有することができ、矯正プログラムに基づいて位置し、運動することができるように、信号を発生して使用者に知らせる信号部を有することができる。
【０１１９】
足部に加わる体重の偏りは、分節の変因になる。電子矯正装置は、足部において体重が支えられる状態を診断し、それを矯正することができる装置である。しかし、足部に不規則的な変異が存在する場合には、人体の状態の診断に誤りが発生し得る。前記分節位置感知センサー５１２と、前記筋力感知センサー５１３は、足裏の圧力感知センサー５１１と連動する場合、足部に体重が負荷される状態と、当時の分節及び筋力の状態を総合し、分析、評価することによって、発生し得る誤りを減少させ、対象者の人体状態をより正確に診断できるようにする。
【０１２０】
このような端末装置６００には、ＰＣ、ＰＤＡ、携帯電話機などの上述した動作を行うことができる様々な装置が含まれる。端末装置６００は、電子矯正装置５００及びウェブサイト７００に有線または無線で接続され、動作を行うことができる。
【０１２１】
前記端末装置６００は、運営システムと、有線または無線通信を行うことができるモデム及びネットワークアダプタなどの装置と、インターネットプロトコル部と、ブラウザーと、有線または無線で電子矯正装置５００で矯正プログラム８１０を出力する出力部と、有線または無線を通じて電子矯正装置５００から学習データ８２０及び矯正プログラム８１０が入力される入力部と、データベースと、データベースにデータの入力及び出力を要請するデータベース管理部と、モニターや液晶画面などの出力装置と、キーボード、マウス、タッチパッドなどの入力装置と、矯正プログラム８１０の作成及び修正を行うことができる矯正プログラムマネージャ（電子矯正装置及びウェブサイトから学習データ、矯正プログラムが入力されることができる。入力された学習データ８２０は、後の矯正プログラム８１０の作成、修正、統計などに使用される）とを含むことを特徴とする。
【０１２２】
前記ウェブサイト７００はサーバー装置を有する。サーバー装置は、インターネットを介して電子矯正装置５００及び端末装置６００に接続され、学習データ８２０と矯正プログラム８１０の交換を行う。
【０１２３】
前記サーバー装置は、運営システムと、有線または無線通信ができるモデム及びネットワークアダプタなどの装置と、モニターや液晶画面などの出力装置と、キーボード、マウス、タッチパッドなどの入力装置と、インターネットプロトコル部と、ＷＷＷサーバー部と、矯正プログラム８１０を提供し、学習データを分析及び処理するＣＧＩプログラム部と、データベースと、データベースにデータの入力及び出力を要請するデータベース管理部とを含むことを特徴とする。
【０１２４】
前記電子矯正装置５００の動作において、ウェブサイト７００から矯正プログラム８１０が入力される場合、矯正プログラムマスター５０４は、周期的にウェブサイトのデータベースを検索し、新しい矯正プログラム８１０が存在する場合には、自動ダウンロードするようにプログラム化することができる。ダウンロードを行った場合には、矯正プログラムマスター５０４は、信号部に該当信号の発生を命令する（ステップ１００）。信号を確認し、確認部５０９を操作すると、信号が停止される。ステップ１００において実行部を操作すると（ステップ２００）、既存の矯正プログラム８１０の実行を中断し、データベース管理部に新しい矯正プログラム８１０の格納を要請して格納する（ステップ３００）。ステップ２００において、格納空間が不足する場合には、信号部を介してそのメッセージを通知する（ステップ４００）。実行部を操作する場合、必要な容量分だけ古い矯正プログラム８１０を削除し、新しい矯正プログラム８１０を格納する（ステップ４０１）。ステップ４００において、取り消し部を操作する場合には、格納を取り消し、既存の矯正プログラム８１０を再び実行する。ステップ３００及びステップ４０１を行った場合には、矯正プログラムマスター５０４は、新しい矯正プログラム８１０によって装置が動作するようにする。
【０１２５】
足裏の圧力感知センサー５１１は、必要に応じて個数及び位置を変更することができ、矯正プログラム８１０に基づいて、足部、インソール、靴下など、足裏または足裏に対応する多様な物体面に形成、固定され、部位毎に体重が負荷される程度を感知することができる。足裏の圧力感知センサー５１１によって感知されたデータは、矯正プログラムマスター５０４に入力される。矯正プログラムマスター５０４は、矯正プログラム８１０に基づいて装置を作動することになり、前記入力されたデータを分析及び処理し、それを矯正プログラム８１０と比較及び分析して学習データ８２０に加工し、学習データ８２０をデータベース管理部に格納することを要請して格納し、出力部５０８を介して有線または無線で接続されている端末装置６００、ウェブサイト７００に出力する。端末装置６００及びウェブサイト７００は、該当装置のデータベースに学習データ８２０を格納する。
【０１２６】
前記矯正プログラム８１０は、電子矯正装置５００、端末装置、ウェブサイト７００などのデータベース５０６に格納されることができる。矯正プログラム８１０は、電子矯正装置５００の作動において、足部に体重が負荷されるべき部位別程度、及び負荷されてはならない位置及び程度と、該当分節の位置とその筋力、各装置の動作内容などを含み、所定の目的に従っている。矯正プログラム８１０は、学習段階及び過程毎に内容が異なることが好ましい。矯正プログラムマネジャーを使用して学習データ８２０を確認、修正、削除することができ、矯正プログラム８１０の製作、修正、削除と、ウェブサイト７００からダウンロード８３０することができる。前記矯正プログラム８１０は、電子矯正装置５００に入力、格納されて実行される。
【０１２７】
矯正プログラムマネジャーの動作は、まず該当装置のデータベース管理部に学習データ８２０と矯正プログラム８１０を要請する。データベース管理部は、データベースを検索し、矯正プログラムマネジャーに出力する。矯正プログラム８１０を製作、修正、格納し、電子矯正装置５００に出力する（ステップＭ１００）。矯正プログラムマスター５０４は、既存の矯正プログラム８１０の実行を中断し、修正された矯正プログラム８１０をデータベース管理部に格納することを要請し、格納した後、新たな矯正プログラム８１０を実行する。
【０１２８】
ウェブサイト７００を介して矯正プログラム８１０の修正を行う場合には、端末装置のブラウザーを介してウェブサイト７００に接続し、矯正プログラム８１０の修正を要求する（ステップＲ１００）。ＣＧＩプログラム部は、サーバー装置のデータベースを参照し、矯正プログラムの修正ページを作成、ＷＷＷサーバー部に出力し、ＷＷＷサーバー部は、それを端末装置ブラウザーに出力する。使用者は、矯正プログラムを修正、ウェブサイト７００に送る。ＷＷＷサーバー部は、入力されたデータをＣＧＩプログラム部に出力する。ＣＧＩプログラム部はデータを分析及び処理し、データベースを参照して矯正プログラムを作成し、データベース管理部に格納を要請し、格納する（このとき、電子矯正装置に矯正プログラムを出力することができる）。ＣＧＩプログラム部は、格納結果と修正された矯正プログラムを矯正プログラム修正完了ページとして作成し、ＷＷＷサーバー部に出力し、ＷＷＷサーバー部は、それを端末装置のブラウザーに出力する。使用者は確認を行い（ステップＣ１００）、端末装置のデータベース管理部に修正された矯正プログラムの格納を要請し、格納する。これにより、ステップＭ１００の次の段階に進むことができる。
【０１２９】
信号部は、学習が正確に行われたり、そうではない場合、信号を発生してその内容を対象者に認知させる。前記分節位置感知センサーを有する場合には、矯正プログラム８１０に基づいて該当分節が存在すべき位置に位置するか、またはその位置に位置しないとき、該当信号を発生させ、その内容を使用者に知らせることができる（長期間にわたって行われる運動の場合、運動パターンを分析して矯正プログラムに従わない場合、信号により知らせることができる）。筋力感知センサーを有する場合には、前記分節位置感知センサーの動作と同様に動作されることができる。
【０１３０】
信号部の動作は、矯正プログラム８１０によって制御される。制御内容は、矯正プログラム８１０の修正によって変更することができる。例えば、累積ポイントを設け、一定回数以上学習が正常に行われた場合と、そうでない場合とに分けて信号を発生するようにすることができる。
【０１３１】
矯正プログラムマスター５０４は、矯正プログラム８１０に基づいて電子矯正装置５００に体重が負荷されない場合、信号部を介して信号を発生し、対象者に知らせる。
【０１３２】
電子矯正装置５００は、有線または無線で矯正プログラム８１０を提供するウェブサイトなど、該当装置と連動する場合には、該当装置に学習データ８２０を実時間で出力し、連動することができる。そのような場合、該当装置は、入力された学習データ８２０を分析、評価、処理し、該当過程の矯正プログラム８１０に基づいて正確に学習が行われた場合には、過程別の矯正プログラム８１０、そうではない場合には、それに相応した矯正プログラム８１０を修正し、電子矯正装置６００に出力するようにすることができる。
【０１３３】
前記端末装置６００及び電子矯正装置５００は、一体化することができる。その場合、重複する構造を統合し、不要な構造は省略可能である。例えば、電子矯正装置の下面に液晶画面とキーボードを備える形態に製作することができる。
【０１３４】
前記電子矯正装置５００は、独立した構造に形成され、本発明の他の構造と結合することもでき、突出装置１４０及び沈降装置１５０に内蔵して該当機能を行うようにすることもできる。例えば、前記靴下や足部などに突出装置１４０が単独で設けられる場合には、その突出装置１４０に該電子矯正装置５００を内蔵することが可能である。
【０１３５】
前述のような実施形態において、本発明の技術思想及び構造の特性は同様に適用される。
【０１３６】
本発明は、所定の目的に応じて製作され、該当対象者に適用するものである。しかし、類似した類型の対象者の場合には、それらを１つの類型で分類し、その類型に共通的に適用できるモデルを大量生産して一括して適用することができる。また、各類型毎に一部修正が可能なように生産することで、各々の目的に応じて一部修正を行って対象者に個別的に適用することができる。
【産業上の利用可能性】
【０１３７】
本発明は、足部において所定の目的に応じた姿勢を形成できるように学習及び誘導させる装置であって、これにより、所定の目的に応じて人体の状態を矯正したり、改善したりすることができる。
【図面の簡単な説明】
【０１３８】
【図１】本発明による構造を所定の目的に応じて一体化して製作した一実施形態を概略的に示す上部から見た透視図。
【図２】本発明による様々な実施形態とその構造を概略的に示した透視図。
【図３】本発明による様々な実施形態とその構造を概略的に示した透視図。
【図４】本発明による様々な実施形態とその構造を概略的に示した透視図。
【図５】本発明による様々な実施形態とその構造を概略的に示した透視図。
【図６】上板１１０と、中板１２０と、下板１３０とが一体化された形態に製作される場合、突出装置１４０及び沈降装置１５０として用いることができる多様な素材を挿入する実施形態とその構造を概略的に示した左側断面図。
【図７】靴下２００に適用された突出装置１４０の実施形態とその構造を概略的に示した透視図。
【図８】足に適用された突出装置１４０の実施形態とその構造を概略的に示した透視図。
【図９】電子矯正装置５００とその構造を概略的に示した上部から見た左側面図。
【図１０】電子矯正装置５００の動作を示した概念図。
【図１１】分節位置感知センサー及び筋力感知センサーを人体に適用した状態を示した概念図。
【図１２】水平面における骨盤と足部を示した図。
【図１】
2008505688.tif 000003
【図２】
2008505688.tif 000004
【図３】
2008505688.tif 000005
【図４】
2008505688.tif 000006
【図５】
2008505688.tif 000007
【図６】
2008505688.tif 000008
【図７】
2008505688.tif 000009
【図８】
2008505688.tif 000010
【図９】
2008505688.tif 000011
【図１０】
2008505688.tif 000012
【図１１】
2008505688.tif 000013
【図１２】
2008505688.tif 000014
【国際調査報告】
2008505688.tif 000015
2008505688.tif 000016
2008505688.tif 000017